(57)【特許請求の範囲】
【請求項１】
所定幅を有する長尺状のベルトであって、前記ベルトの外面を上方に向けた状態で前記ベルトの外面に多数の石状物を載せて進行方向に移動すると共に、前記ベルトを下方側に折り返して反転させることで前記ベルトの外面から石状物を落下させ、前記ベルトを下方側に折り返して反転させた後に前記進行方向に移動する前記ベルトの下方において前記ベルトの外面を下方に向けた状態で前記進行方向と反対方向の戻り方向に移動するベルトと、
前記ベルトの下方に配置される床と、を備えるベルトコンベア装置に用いられる石状物のかき寄せ装置であって、
前記ベルトの外面に一端が取り付けられる複数の帯状部材であって、少なくとも前記ベルトの幅方向の外側に配置される外側帯状部材を有し、前記ベルトが前記進行方向に移動するときには、前記ベルトの外面の上方において前記ベルトの側縁の内側に配置されており、前記ベルトが前記戻り方向に移動するときには、前記ベルトの外面から下方に垂れ下がることで前記床に接触する状態となり、前記床に接触した状態において前記外側帯状部材の他端側が前記ベルトの側縁よりも外側に位置する複数の帯状部材を備える石状物のかき寄せ装置。
【請求項２】
前記複数の帯状部材は、前記ベルトの幅方向のほぼ全域に亘って複数設けられる請求項１に記載の石状物のかき寄せ装置。
【請求項３】
前記ベルトコンベア装置は、前記ベルトの下方において前記ベルトに当接して配置されると共に前記ベルトの幅方向に延びる複数のローラ部材を更に備え、
前記石状物のかき寄せ装置は、前記ベルトの外面が上方を向いた場合において前記ベルトの外面に沿って配置される前記複数の帯状部材を囲むように前記ベルトの外面に設けられるガイド部材であって、前記ベルトが前記戻り方向に移動する場合における前記複数の帯状部材の前側に配置される前側ガイドを有するガイド部材を更に備え、
前記前側ガイドは、前記ベルトが前記戻り方向に移動するときの先端側が前記ベルトの外面に近づく側に傾斜する傾斜面を有し、前記ベルトが前記戻り方向に移動する場合に、前記ベルトと前記ローラ部材との間に前記傾斜面が導入されることで、前記戻り方向に移動する前記ベルトから垂れ下がる前記複数の帯状部材を、前記ベルトの外面側に移動させて前記ベルトと前記ローラ部材との間を通過させる請求項１又は２に記載の石状物のかき寄せ装置。
【発明の詳細な説明】
【技術分野】
【０００１】
本発明は、ベルトコンベア装置からこぼれ落ちる多数の石状物をかき寄せる石状物のかき寄せ装置に関する。
【背景技術】
【０００２】
従来、石炭火力発電所においては、石炭（石状物）の輸送に関して、ベルトコンベア装置を利用している。所定幅のベルトを有するベルトコンベア装置を用いて石炭を輸送する場合に、ベルトの上に載置された石炭が、ベルトの幅方向の外側にこぼれ落ちることがある。こぼれ落ちた石炭を放置すると、火災の原因となることから、定期的に清掃して、こぼれ落ちた石炭を回収する必要がある。
【０００３】
これに対して、こぼれ落ちた石炭を回収する石炭回収装置が提案されている（例えば、特許文献１参照）。特許文献１に記載の石炭回収装置は、ベルトコンベア装置のベルトと床との間に、石炭をかき取るかき取り片を移動させるチェーンコンベア装置を有するかき取り手段と、かき取り手段により集めた石炭をベルトコンベア装置のベルトの上面に載せるバケットコンベア装置と、を備える。
【先行技術文献】
【特許文献】
【０００４】
【特許文献１】特開平６−２４７５３３号公報
【発明の概要】
【発明が解決しようとする課題】
【０００５】
ここで、既存のベルトコンベア装置に石炭（石状物）のかき寄せ装置を設置できれば、既存のベルトコンベア装置をそのまま利用できるため、有益である。
既存のベルトコンベア装置に、特許文献１に記載のチェーンコンベア装置やバケットコンベア装置を設ける場合には、石炭のかき寄せ部材を設けるスペースが必要となる。しかしながら、既存のベルトコンベア装置には、石炭のかき寄せ部材を設置するスペースが限られており、石炭のかき寄せ部材を追加することが難しい。
そのため、既存のベルトコンベア装置に追加可能な石状物のかき寄せ装置が望まれる。
【０００６】
本発明は、既存のベルトコンベア装置に追加可能な石状物のかき寄せ装置を提供することを目的とする。
【課題を解決するための手段】
【０００７】
（１）本発明に係る石状物のかき寄せ装置は、所定幅を有する長尺状のベルトであって、前記ベルトの外面を上方に向けた状態で前記ベルトの外面に多数の石状物を載せて進行方向に移動すると共に、前記ベルトを下方側に折り返して反転させることで前記ベルトの外面から石状物を落下させ、前記ベルトを下方側に折り返して反転させた後に前記進行方向に移動する前記ベルトの下方において前記ベルトの外面を下方に向けた状態で前記進行方向と反対方向の戻り方向に移動するベルトと、前記ベルトの下方に配置される床と、を備えるベルトコンベア装置に用いられる石状物のかき寄せ装置であって、前記ベルトの外面に一端が取り付けられる複数の帯状部材であって、少なくとも前記ベルトの幅方向の外側に配置される外側帯状部材を有し、前記ベルトが前記進行方向に移動するときには、前記ベルトの外面の上方において前記ベルトの側縁の内側に配置されており、前記ベルトが前記戻り方向に移動するときには、前記ベルトの外面から下方に垂れ下がることで前記床に接触する状態となり、前記床に接触した状態において前記外側帯状部材の他端側が前記ベルトの側縁よりも外側に位置する複数の帯状部材を備える。
【０００８】
（２）前記複数の帯状部材は、前記ベルトの幅方向のほぼ全域に亘って複数設けられることが好ましい。
【０００９】
（３）前記ベルトコンベア装置は、前記ベルトの下方において前記ベルトに当接して配置されると共に前記ベルトの幅方向に延びる複数のローラ部材を更に備え、前記石状物のかき寄せ装置は、前記ベルトの外面が上方を向いた場合において前記ベルトの外面に沿って配置される前記複数の帯状部材を囲むように前記ベルトの外面に設けられるガイド部材であって、前記ベルトが前記戻り方向に移動する場合における前記複数の帯状部材の前側に配置される前側ガイドを有するガイド部材を更に備え、前記前側ガイドは、前記ベルトが前記戻り方向に移動するときの先端側が前記ベルトの外面に近づく側に傾斜する傾斜面を有し、前記ベルトが前記戻り方向に移動する場合に、前記ベルトと前記ローラ部材との間に前記傾斜面が導入されることで、前記戻り方向に移動する前記ベルトから垂れ下がる前記複数の帯状部材を、前記ベルトの外面側に移動させて前記ベルトと前記ローラ部材との間を通過させることが好ましい。
【発明の効果】
【００１０】
本発明によれば、既存のベルトコンベア装置に追加可能な構成を有する石状物のかき寄せ装置を提供することができる。
【図面の簡単な説明】
【００１１】
【図１】本発明の一実施形態におけるベルトコンベア装置１の構成を示す全体図である。
【図２】ベルトコンベア装置１におけるベルト４が支持部７に支持される構成を示す図であって、（ａ）はベルト４が進行方向Ｆに移動する場合の構成を示す断面図であり、（ｂ）は、ベルト４が戻り方向Ｂに移動する場合の構成を示す断面図である。
【図３】ベルト４が進行方向Ｆに移動する場合における石炭のかき寄せ装置２０の構成を示す図であって、（ａ）は石炭のかき寄せ装置２０を示す断面図であり、（ｂ）は石炭のかき寄せ装置２０を上方側から視た平面図である。
【図４】図３（ｂ）に示す複数の帯状部材２１の部分拡大図である。
【図５】ベルト４が戻り方向Ｂに移動する場合における石炭のかき寄せ装置２０の構成を示す図であって、（ａ）は石炭のかき寄せ装置２０を示す断面図であり、（ｂ）は石炭のかき寄せ装置２０を戻り方向Ｂに視た場合の図である。
【図６】複数の帯状部材２１が第２支持部ローラ部材７２１とベルト４との間を通過する構成を示す図であって、（ａ）は第２支持部ローラ部材７２１に前側ガイド２２１の傾斜面２２１ａが導入される状態を示す図であり、（ｂ）は複数の帯状部材２１が第２支持部ローラ部材７２１とベルト４との間を通過する状態を示す図である。
【発明を実施するための形態】
【００１２】
以下、本発明の一実施形態における石状物のかき寄せ装置２０について、図面を参照しながら説明する。図１は、本発明の一実施形態におけるベルトコンベア装置１の構成を示す全体図である。図２は、ベルトコンベア装置１におけるベルト４が支持部７に支持される構成を示す図であって、（ａ）はベルト４が進行方向Ｆに移動する場合の構成を示す断面図であり、（ｂ）は、ベルト４が戻り方向Ｂに移動する場合の構成を示す断面図である。図３は、ベルト４が進行方向Ｆに移動する場合における石炭のかき寄せ装置２０の構成を示す図であって、（ａ）は石炭のかき寄せ装置２０を示す断面図であり、（ｂ）は石炭のかき寄せ装置２０を上方側から視た平面図である。図４は、図３（ｂ）に示す複数の帯状部材２１の部分拡大図である。
【００１３】
図５は、ベルト４が戻り方向Ｂに移動する場合における石炭のかき寄せ装置２０の構成を示す図であって、（ａ）は石炭のかき寄せ装置２０を示す断面図であり、（ｂ）は石炭のかき寄せ装置２０を戻り方向Ｂに視た場合の図である。図６は、複数の帯状部材２１が第２支持部ローラ部材７２１とベルト４との間を通過する構成を示す図であって、（ａ）は第２支持部ローラ部材７２１に前側ガイド２２１の傾斜面２２１ａが導入される状態を示す図であり、（ｂ）は複数の帯状部材２１が第２支持部ローラ部材７２１とベルト４との間を通過する状態を示す図である。
【００１４】
本実施形態の石状物のかき寄せ装置２０は、例えば、ベルトコンベア装置１に取り付けられる。石炭のかき寄せ装置２０は、ベルトコンベア装置１のベルト４からこぼれ落ちた石状物をかき寄せる装置である。石状物としては、鉱石や石炭や砂利などが挙げられる。本実施形態においては、石状物を石炭とした一例について説明する。
【００１５】
まず、ベルトコンベア装置１について説明する。ベルトコンベア装置１は、例えば、石炭を運搬する装置である。
図１に示すように、本実施形態に係るベルトコンベア装置１は、供給シュート２と、貯留槽３と、無端状のベルト４と、駆動プーリ５と、従動プーリ６と、複数の支持部７と、を備える。ベルトコンベア装置１は、供給シュート２によりベルト４に供給された石炭（石状物）を、ベルト４の外面（上面）４１に載せて運搬し、貯留槽３に落下させて、貯留槽３に貯留させる。
【００１６】
供給シュート２は、石炭をベルト４の外面４１に供給する。貯留槽３は、ベルト４により運搬されて落下された石炭を貯留する。本実施形態においては、図１に示すように、供給シュート２と貯留槽３とは、所定距離離間して配置される。
【００１７】
ベルト４は、所定幅を有する長尺状に形成される。本実施形態においては、ベルト４は、無端ベルト状に形成され、駆動プーリ５及び従動プーリ６に掛け渡される。本実施形態においては、駆動プーリ５及び従動プーリ６は、ほぼ同じ径の円筒状に形成される。駆動プーリ５及び従動プーリ６の回転軸は、ベルト４の幅方向に延びている。
【００１８】
駆動プーリ５は、供給シュート２の下方に配置される。従動プーリ６は、貯留槽３の上方に配置される。駆動プーリ５は、上下方向において従動プーリ６よりも上方側に配置されている。
【００１９】
駆動プーリ５には、モータ（不図示）からの回転駆動力が、駆動機構（不図示）により伝達される。駆動プーリ５が回転駆動することで、ベルト４が移動される。駆動プーリ５によりベルト４が移動されることで、従動プーリ６が従動回転する。
【００２０】
ベルト４は、従動プーリ６と駆動プーリ５との間において、上方側経路Ｋ１、第１巻き掛け経路Ｋ２、下方側経路Ｋ３及び第２巻き掛け経路Ｋ４を、この順に順次移動する。上方側経路Ｋ１と下方側経路Ｋ３とは、互いが対向しており、平行である。
【００２１】
上方側経路Ｋ１は、従動プーリ６の上端部から駆動プーリ５の上端部までの間の経路である。上方側経路Ｋ１は、直線状に形成され、従動プーリ６から駆動プーリ５に向かうにしたがって上方に向かう方向に傾斜して延びている。
【００２２】
ベルト４は、上方側経路Ｋ１においては、進行方向Ｆに移動する。ベルト４の進行方向Ｆは、上方側経路Ｋ１において、供給シュート２から貯留槽３に向かう方向である。ベルト４は、上方側経路Ｋ１において、供給シュート２から貯留槽３に向かう方向に進行方向Ｆに移動する場合に、上り傾斜となる直線上を移動する。
【００２３】
第１巻き掛け経路Ｋ２は、駆動プーリ５の外側の半円に沿った経路である。第１巻き掛け経路Ｋ２において、ベルト４は、駆動プーリ５の外側の半円に巻き掛けられる。
【００２４】
下方側経路Ｋ３は、駆動プーリ５の下端部から従動プーリ６の下端部までの間の経路である。ベルト４における下方側経路Ｋ３は、直線状に形成され、駆動プーリ５から従動プーリ６に向かうにしたがって下方に向かう方向に傾斜して延びている。
【００２５】
ベルト４は、下方側経路Ｋ３においては、戻り方向Ｂに移動する。ベルト４の戻り方向Ｂは、進行方向Ｆと反対方向であって、下方側経路Ｋ３において、貯留槽３から供給シュート２に向かう方向である。ベルト４は、下方側経路Ｋ３において、貯留槽３から供給シュート２に向かう方向に戻り方向Ｂに移動する場合に、下り傾斜となる直線上を移動する。
【００２６】
第２巻き掛け経路Ｋ４は、従動プーリ６の外側の半円に沿った経路である。第２巻き掛け経路Ｋ４において、ベルト４は、従動プーリ６の外側の半円に巻き掛けられる。
【００２７】
ベルト４は、ベルト４の外面４１が外側に向いた状態で、上方側経路Ｋ１、第１巻き掛け経路Ｋ２、下方側経路Ｋ３及び第２巻き掛け経路Ｋ４を移動する。ベルト４の外面４１は、ベルト４の位置にかかわらず、ベルト４の外側の面である。
上方側経路Ｋ１をベルト４が移動する場合には、ベルト４の外面４１は、ベルト４の上方側の上面である。下方側経路Ｋ３をベルト４が移動する場合には、ベルト４の外面４１は、ベルト４の下方側の下面である。
【００２８】
ベルト４の下方には、床１１が配置されている。床１１の上面は、下方側経路Ｋ３を移動するベルト４の外面４１（下面）から離間している。床１１の上面は、上方側経路Ｋ１及び下方側経路Ｋ３を移動するベルト４とほぼ平行に形成される。床１１の上面は、ベルト４が傾斜する傾きの角度と同じ傾きの角度で、供給シュート２側から貯留槽３側に上り傾斜となるように、直線状に延びている。
【００２９】
床１１には、複数の石炭せき止め板１１１が配置される。
石炭せき止め板１１１には、床１１の斜面において石炭が転がり落ちないように、石炭のかき寄せ装置２０（後述）の複数の帯状部材２１によりかき寄せられた石炭が集められる。これにより、石炭せき止め板１１１に集められた石炭を、例えば、掃除機等によって容易に回収することができる。
【００３０】
石炭せき止め板１１１は、床１１の上面から立設して形成される。石炭せき止め板１１１は、ベルト４の幅方向に延びる。
【００３１】
複数の石炭せき止め板１１１は、後述する第２支持部７２の第２支持部ローラ部材７２１が配置される位置に対応して、床１１の上面に、所定間隔おいて配置される。具体的には、石炭せき止め板１１は、床１１の上面において、第２支持部７２の第２支持部ローラ部材７２１の下方に設けられる。石炭せき止め板１１は、第２支持部ローラ部材７２１の下方において、第２支持部ローラ部材７２１が配置される位置よりも戻り方向Ｂの下流側の位置に配置される。
【００３２】
複数の支持部７は、上方側経路Ｋ１及び下方側経路Ｋ３において、ベルト４の進行方向Ｆ及び戻り方向Ｂに沿って、ベルト４の下方において、所定間隔おいて配置される。複数の支持部７は、ベルト４の下面に当接して配置される。ベルト４の下面は、上方側経路Ｋ１においてはベルト４の内面であり、下方側経路Ｋ３においてはベルト４の外面４１である。
【００３３】
複数の支持部７は、図１に示すように、複数の第１支持部７１と、複数の第２支持部７２と、を有する。複数の第１支持部７１は、上方側経路Ｋ１において、ベルト４の下方に、所定間隔おいて配置される。複数の第２支持部７２は、下方側経路Ｋ３において、ベルト４の下方に、所定間隔おいて配置される。
【００３４】
第１支持部７１は、図２（ａ）に示すように、第１支持部中央ローラ部材７１１と、一対の第１支持部外側ローラ部材７１２と、からなる。
第１支持部中央ローラ部材７１１は、ベルト４の幅方向の中央に配置され、水平方向に直線状に延びる。
一対の第１支持部外側ローラ部材７１２は、ベルト４の幅方向における第１支持部中央ローラ部材７１１の外側の両方に配置され、ベルト４の幅方向において、内側から外側に向かうにしたがって上方に向かうように傾斜した直線状に延びる。
【００３５】
第１支持部中央ローラ部材７１１及び一対の第１支持部外側ローラ部材７１２は、第１支持部中央ローラ部材７１１及び一対の第１支持部外側ローラ部材７１２の回転軸方向がベルト４の幅方向に沿った状態で、ベルト４の幅方向に並んで配置される。第１支持部中央ローラ部材７１１及び一対の第１支持部外側ローラ部材７１２は、進行方向Ｆに移動するベルト４の下面に当接する。
第１支持部中央ローラ部材７１１及び一対の第１支持部外側ローラ部材７１２は、ベルト４を支持した状態で、ベルト４の移動により回転する。
【００３６】
第２支持部７２は、図２（ｂ）に示すように、ローラ部材としての第２支持部ローラ部材７２１からなる。
第２支持部ローラ部材７２１は、下方側経路Ｋ３を移動するベルト４の下面（ベルト４の外面４１）に当接する。第２支持部ローラ部材７２１の回転軸は、ベルト４の幅方向において、水平方向に直線状に延びる。
【００３７】
第２支持部ローラ部材７２１は、下方側経路Ｋ３を戻り方向Ｂに移動するベルト４の下面（ベルト４の外面４１）において、ベルト４の幅方向のほぼ全域に亘って延びている。第２支持部ローラ部材７２１は、ベルト４を支持した状態で、ベルト４の移動により回転する。
【００３８】
次に、石炭のかき寄せ装置２０について説明する。
本実施形態においては、石炭のかき寄せ装置２０は、図１に示すように、例えば、ベルトコンベア装置１に２つ設置され、図３（ａ）及び（ｂ）に示すように、ベルト４に取り付けられる。石炭のかき寄せ装置２０は、ベルト４の移動に伴って、ベルト４とともに移動する。
【００３９】
石炭のかき寄せ装置２０は、図３（ａ）及び（ｂ）に示すように、複数の帯状部材２１と、方形環状の枠体からなるガイド部材２２と、を備える。複数の帯状部材２１及びガイド部材２２は、ベルト４の外面４１に取り付けられている。
【００４０】
複数の帯状部材２１は、それぞれ、図３（ａ）及び（ｂ）に示すように、所定方向に延びる直線状に形成される。
【００４１】
複数の帯状部材２１は、ベルト４の外面４１が上方を向いた状態でベルト４が上方側経路Ｋ１を移動される場合において、図３（ｂ）に示すように、ベルト４の幅方向のほぼ全域に亘って、ベルトの幅方向に並んで、複数設けられる。複数の帯状部材２１は、ベルト４の外面４１が上方を向いた状態でベルト４が上方側経路Ｋ１を移動される場合において、複数の帯状部材２１の長さ方向が、ベルト４の長さ方向に沿うように配置される。
複数の帯状部材２１は、例えば、ゴム製の材料により形成される。
【００４２】
複数の帯状部材２１は、図３（ｂ）に示すように、少なくともベルト４の幅方向の外側の両方に配置される外側帯状部材２１１と、ベルト４の幅方向の中央に配置される内側中央帯状部材２１４と、ベルト４の幅方向において外側帯状部材２１１と内側中央帯状部材２１４との間に配置される第１内側帯状部材２１２及び第２内側帯状部材２１３と、を有する。
【００４３】
複数の帯状部材２１は、ベルト４の外面４１に、一端２１ｘが取り付けられる。帯状部材２１の一端２１ｘは、ベルト４の外面４１に固定される固定端である。帯状部材の他端２１ｙは、重力により移動される自由端である。
【００４４】
帯状部材２１の一端２１ｘには、回動軸部材２１ａが取り付けられている。回動軸部材２１ａは、帯状部材２１を回動可能に支持する。回動軸部材２１ａは、図３（ｂ）及び図４に示すように、ベルト４の幅方向に沿う方向及びベルト４の幅方向に対して傾斜して延びる。回動軸部材２１ａは、回動軸部材２１ａが延びる方向に沿う回動軸を中心に回動する。回動軸部材２１ａの両端は、図３（ａ）、図４及び図５（ｂ）に示すように、一対の取付ピン２１ｂによりベルト４に取り付けられている。
【００４５】
帯状部材２１の回動軸部材２１ａは、図４に示すように、ベルト４の幅方向の外側に向かうにしたがって帯状部材２１の自由端（他端）２１ｙ側に向かうように傾斜して直線状に延びる。つまり、回動軸部材２１ａは、ベルト４の幅方向の外側がベルト４の移動方向の後ろ側に傾斜するように、回動軸部材２１ａの回動軸がベルト４の幅方向に対して傾いた状態で、取り付けられている。
【００４６】
ベルト４の幅方向に対する複数の帯状部材２１の回動軸部材２１ａの回動軸の角度は、図４に示すように、内側中央帯状部材２１４ではα０であり、第２内側帯状部材２１３ではα１であり、第１内側帯状部材２１２ではα２であり、外側帯状部材２１１ではα３である。
ベルト４の幅方向に対する回動軸部材２１ａの回動軸の角度は、複数の帯状部材２１において、ベルト４の幅方向の外側に位置する帯状部材２１ほど大きい（α０＜α１＜α２＜α３）。
【００４７】
ベルト４が上方側経路Ｋ１を進行方向Ｆに移動する場合には、ベルト４の外面４１は、上方を向く。そのため、複数の帯状部材２１は、図３（ａ）に示すように、複数の帯状部材２１の長さ方向がベルト４の長さ方向に沿うように、後述するガイド部材２２の枠内に配置される。これにより、ベルト４が進行方向Ｆに移動するときには、複数の帯状部材２１は、ベルト４の外面４１が上方を向いた場合において、ベルト４の側縁の内側に配置される。
【００４８】
また、ベルト４が下方側経路Ｋ３を戻り方向Ｂに移動する場合には、ベルト４の外面４１は、下方を向く。ここで、図４に示すように、複数の帯状部材２１において、ベルト４の幅方向の外側に位置する帯状部材２１ほど、ベルト４の幅方向に対する回動軸部材２１ａの軸方向の角度が大きい（α０＜α１＜α２＜α３）。そのため、図５（ｂ）に示すように、ベルト４の幅方向の外側に配置される帯状部材２１ほど、複数の帯状部材２１の自由端側がベルト４の幅方向の外側に位置するように、複数の帯状部材２１は、放射状に広がる。
【００４９】
ここで、ベルト４が下方側経路Ｋ３を戻り方向Ｂに移動するときには、図５（ｂ）に示すように、複数の帯状部材２１は、ベルト４の外面４１から下方に垂れ下がることで、床１１に接触する。複数の帯状部材２１が床１１に接触した状態において、外側帯状部材２１１の自由端（他端）２１ｙ側は、ベルト４の側縁よりも外側に位置する。
【００５０】
ガイド部材２２は、図３（ａ）及び（ｂ）に示すように、方形環状の枠体により形成される。
ガイド部材２２は、ベルト４が上方側経路Ｋ１を移動してベルト４の外面４１が上方を向いた場合において、複数の帯状部材２１を囲むようにベルト４の外面４１に設けられる。言い換えると、複数の帯状部材２１は、ベルト４の外面４１が上方を向いている場合には、ガイド部材２２により囲まれるように、ガイド部材２２の枠内に収って配置される。
【００５１】
ガイド部材２２は、図３（ｂ）に示すように、前側ガイド２２１と、後側ガイド２２２と、２つの側方ガイド２２３と、を有する。ガイド部材２２は、全体として方形環状の枠体である。ガイド部材２２は、前側ガイド２２１、側方ガイド２２３、後側ガイド２２２及び側方ガイド２２３がこの順で接続されて形成される。
【００５２】
後側ガイド２２２は、図３（ａ）、図３（ｂ）及び図５（ａ）に示すように、ベルト４の幅方向に沿って直線状に延びる。後側ガイド２２２は、ベルト４が進行方向Ｆ及び戻り方向Ｂに移動する場合において、複数の帯状部材２１におけるベルト４の移動方向の後ろ側に配置される。
【００５３】
２つの側方ガイド２２３は、図３（ａ）及び図３（ｂ）に示すように、後側ガイド２２２が延びる方向に直交して、互いに対向して平行に延びる。２つの側方ガイド２２３は、後側ガイド２２２におけるベルト４の幅方向の両端部から、それぞれ、ベルト４の長さ方向に沿って、ベルト４の移動方向の前側に直線状に延びる。２つの側方ガイド２２３は、複数の帯状部材２１の外側において、ベルト４の幅方向の側縁に配置される。
【００５４】
前側ガイド２２１は、図３（ａ）、図３（ｂ）及び図５（ａ）に示すように、２つの側方ガイド２２３の前端部を接続するように、ベルト４の幅方向に延びる。前側ガイド２２１は、２つの側方ガイド２２３に直交して延びる。前側ガイド２２１は、後側ガイド２２２に平行に延びる。
【００５５】
前側ガイド２２１は、ベルト４が進行方向Ｆ及び戻り方向Ｂに移動する場合において、複数の帯状部材２１におけるベルト４の移動方向の前側に配置される。
【００５６】
前側ガイド２２１は、図５（ａ）に示すように、傾斜面２２１ａを有する。前側ガイド２２１の傾斜面２２１ａは、ベルト４が戻り方向Ｂに移動するときの先端側が鋭角になっており、先端側がベルト４の外面４１に近づく側に傾斜する。
【００５７】
前側ガイド２２１は、図６（ａ）及び図６（ｂ）に示すように、ベルト４が戻り方向Ｂに移動する場合に、図６（ａ）に示すように、ベルト４と第２支持部ローラ部材７２１との間に傾斜面２２１ａが導入されることで、図６（ｂ）に示すように、戻り方向Ｂに移動するベルト４から垂れ下がる複数の帯状部材２１を、ベルト４の外面４１側に移動させる。そして、前側ガイド２２１は、複数の帯状部材２１及びガイド部材２２を、ベルト４と第２支持部ローラ部材７２１との間を通過させる。
【００５８】
次に、本実施形態に係る石炭のかき寄せ装置２０の動作について説明する。
図１に示すように、供給シュート２によりベルト４に供給された石炭は、ベルト４の外面４１に載置される。ベルト４の外面４１には、石炭のかき寄せ装置２０が取り付けられている。
まず、ベルト４は、上方側経路Ｋ１において、ベルト４の外面４１を上方に向けた状態で、ベルト４の外面４１に多数の石炭を載せて進行方向Ｆに移動する。
【００５９】
ベルト４が上方側経路Ｋ１において進行方向Ｆに移動する場合には、ベルト４の外面４１は、上方を向いている。石炭のかき寄せ装置２０は、図３に示すように、複数の帯状部材２１が、ベルト４の側縁の内側においてガイド部材２２に囲まれて配置され状態で、ベルト４の進行方向Ｆに移動する。
ここで、ベルト４の上面及びかき寄せ装置２０の上部に載せられた石炭は、上方側経路Ｋ１をベルト４が移動する場合に、ベルト４の幅方向の外側にこぼれ落ちることがある。
【００６０】
そして、上方側経路Ｋ１を移動されたベルト４は、図１に示すように、駆動プーリ５に到達して、駆動プーリ５の外側の半円に沿った第１巻き掛け経路Ｋ２において、下方側に折り返して反転する。これにより、ベルト４の外面４１に載置された石炭は、ベルト４の外面４１から貯留槽３に落下する。
このようにして、供給シュート２からベルト４に供給された石炭は、ベルト４が進行方向Ｆに移動することにより、貯留槽３まで運搬されて、貯留槽３に貯留される。
【００６１】
そして、ベルト４は、駆動プーリ５においてベルト４を下方側に折り返して反転させた後に、進行方向Ｆに移動するベルト４の下方の下方側経路Ｋ３において、ベルト４の外面４１を下方に向けた状態で、進行方向Ｆと反対方向の戻り方向Ｂに移動する。
【００６２】
ベルト４が下方側経路Ｋ３において戻り方向Ｂに移動する場合には、図１に示すように、ベルト４の外面４１は、下方を向いている。そのため、ベルト４の外面４１に取り付けられた石炭のかき寄せ装置２０の複数の帯状部材２１は、ベルト４が反転することにより、図５（ａ）及び（ｂ）に示すように、下方に垂れ下がって、放射状に広がる。複数の帯状部材２１の自由端（他端）２１ｙ側は、床１１に接触する。複数の帯状部材２１のうちの、外側帯状部材２１１は、ベルト４の側縁よりも外側に配置される。
【００６３】
従って、ベルト４が進行方向Ｆに移動する際にベルト４の幅方向の外側に石炭がこぼれ落ちたとしても、複数の帯状部材２１は、床１１の上面に接触することで、ベルト４の幅方向の外側に落下した石炭を、かき寄せることができる。
【００６４】
下方側経路Ｋ３において戻り方向Ｂに移動する場合に、ベルト４に取り付けられたかき寄せ装置２０は、ベルト４と第２支持部ローラ部材７２１との間を通過する。
【００６５】
ガイド部材２２の前側ガイド２２１は、図６（ａ）及び図６（ｂ）に示すように、先端側が鋭角になるように先端側がベルト４の外面４１に近づく側に傾斜している。そのため、前側ガイド２２１は、ベルト４が戻り方向Ｂに移動する場合に、ベルト４と第２支持部ローラ部材７２１との間に傾斜面２２１ａが導入されることで、戻り方向Ｂに移動するベルト４から垂れ下がる複数の帯状部材２１を、ベルト４の外面４１側に移動させる。そして、複数の帯状部材２１及びガイド部材２２は、ベルト４と第２支持部ローラ部材７２１との間を通過する。
【００６６】
そのため、複数の帯状部材２１及びガイド部材２２は、ベルト４と第２支持部ローラ部材７２１との間を通過することができる。これにより、複数の帯状部材２１及びガイド部材２２は、第２支持部ローラ部材７２１がベルト４を支持することを邪魔することがない。よって、第２支持部ローラ部材７２１でベルト４を支持する構成において、石炭のかき寄せ装置２０をベルトコンベア装置１に設けることができる。
【００６７】
前側ガイド２２１及び複数の帯状部材２１がベルト４と第２支持部ローラ部材７２１との間を通過しているときには、図６（ｂ）に示すように、複数の帯状部材２１は、ベルト４の外面４１側に移動する。この場合には、複数の帯状部材２１は、床１１の上面から離れる。
【００６８】
複数の帯状部材２１が床１１の上面から離れた場合には、複数の帯状部材２１によりかき寄せられた石炭は、床１１における第２支持部ローラ部材７２１が配置される位置の下方において、石炭せき止め板１１１に集められる。これにより、石炭せき止め板１１１に集められた石炭を、第２支持部ローラ部材７２１の下方において回収することができる。そのため、ベルト４から落下した石炭を複数の帯状部材２１でかき寄せて、石炭せき止め板１１１に集められた石炭を、簡単に回収することができる。
【００６９】
その後、複数の帯状部材２１は、その後端部の自由端（他端）２１ｙが第２支持部ローラ部材７２１を通過することで、図５（ａ）及び（ｂ）に示すように、再び、下方に垂れ下がって、放射状に広がる。複数の帯状部材２１の自由端（他端）２１ｙ側は、床１１に接触する。
このように、ベルト４に取り付けられた複数の帯状部材２１は、ベルト４が下方側経路Ｋ３を移動する場合に、複数の帯状部材２１が第２支持部ローラ部材７２１を通過する度に、ベルト４の外面４１側の位置とベルト４から垂れ下がる位置との間を移動する。
【００７０】
そして、下方側経路Ｋ３を移動されたベルト４は、図１に示すように、従動プーリ６に到達して、従動プーリ６の外側の半円に沿った第２巻き掛け経路Ｋ４において、上方側に折り返して反転される。これにより、ベルト４は、上方側経路Ｋ１に戻される。
そして、その後、ベルトコンベア装置１及び石炭のかき寄せ装置２０は、以上の動作を繰り返して行う。
【００７１】
本実施形態の石炭のかき寄せ装置２０によれば、次のような効果が奏される。
（１）ベルトコンベア装置１に用いられる石炭のかき寄せ装置２０であって、ベルト４の外面４１に一端２１ｘが取り付けられる複数の帯状部材２１を備える。複数の帯状部材２１は、少なくともベルト４の幅方向の外側に配置される外側帯状部材２１１を有し、ベルト４が進行方向Ｆに移動するときには、ベルト４の外面４１の上方においてベルト４の側縁の内側に配置されており、ベルト４が戻り方向Ｂに移動するときには、ベルト４の外面４１から下方に垂れ下がることで床１１に接触する状態となり、床１１に接触した状態において外側帯状部材２１１の自由端（他端）２１ｙ側がベルト４の側縁よりも外側に位置する。
そのため、ベルト４が戻り方向Ｂに移動する場合に、ベルト４の外面４１から複数の帯状部材２１が下方に垂れ下がることで、外側帯状部材２１１の自由端（他端）２１ｙ側がベルト４の側縁よりも外側に位置した状態で、床１１に接触する。これにより、床１１に落下した石炭を、簡単にかき寄せることができる。
また、複数の帯状部材２１を既存のベルトコンベア装置１のベルト４の外面に設けるだけで、既存のベルトコンベア装置１に、簡単に、石炭のかき寄せ装置２０を追加することができる。
（２）複数の帯状部材２１は、ベルト４の幅方向のほぼ全域に亘って複数設けられる。そのため、例えば、石炭が床１１に落下した後に石炭が転がって散らばった場合においても、ベルト４の幅方向のほぼ全域において、複数の帯状部材２１で石炭をかき寄せることができる。床１１においてベルト４の幅方向に石炭が転がって散らばった場合においても、ベルト４の幅方向において均等に石炭をかき寄せることができる。
（３）ベルト４が戻り方向Ｂに移動する場合に、ベルト４と第２支持部ローラ部材７２１との間に前側ガイド２２１の傾斜面２２１ａが導入されることで、戻り方向Ｂに移動するベルト４から垂れ下がる複数の帯状部材２１を、ベルト４の外面側に移動させてベルト４と第２支持部ローラ部材７２１との間を通過させる。
そのため、前側ガイド２２１の傾斜面２２１ａにより、ベルト４の外面４１に設けた石炭のかき寄せ装置２０を、ベルト４と第２支持部ローラ部材７２１との間を容易に通過させることができる。よって、第２支持部ローラ部材７２１でベルト４を支持する構成において、石炭のかき寄せ装置２０をベルトコンベア装置１に設けることができる。
【００７２】
以上、好適な実施形態について説明したが、本発明は前述した実施形態に限定されることなく種々の形態で実施することができる。
例えば、前記実施形態においては、石状物のかき寄せ装置を、既存のベルトコンベア装置１に取り付けるように構成したが、これに限定されない。例えば、石炭のかき寄せ装置を、ベルトコンベア装置１の構成の一部としてもよい。具体的には、石炭のかき寄せ装置を既存のベルトコンベア装置１に取り付けるのではなく、ベルトコンベア装置１を新たに設置する場合に、ベルトコンベア装置１の構成に石状物のかき寄せ装置の構成を最初から含めておいてもよい。
【００７３】
また、前記実施形態においては、石状物として、石炭を例に説明したが、これに限定されない。例えば、石状物を、鉱石や砂利としてもよい。
【符号の説明】
【００７４】
１  ベルトコンベア装置
４  ベルト
１１  床
２０  石炭のかき寄せ装置（石状物のかき寄せ装置）
２１  帯状部材
２２  ガイド部材
４１  外面
２１１  外側帯状部材
２２１  前側ガイド
２２１ａ  傾斜面
７２１  第２支持部ローラ部材（ローラ部材）
Ｆ  進行方向
Ｂ  戻り方向
【図１】
0006458520.tif 000002
【図２】
0006458520.tif 000003
【図３】
0006458520.tif 000004
【図４】
0006458520.tif 000005
【図５】
0006458520.tif 000006
【図６】
0006458520.tif 000007